(57)【要約】【課題】この発明は、ＣＡＤ図面データを電子的に活用することで監視画面の背景図や施設・設備の属性データを容易に作成することができ、かつ監視画面の表示性能を確保することができる広域監視制御装置を提供することである。【解決手段】施設・設備の設置のために作成された建築・土木工事用ＣＡＤ図面の図形データ（ｓｆｃファイル）４を描画処理に適した環境非依存の文書フォーマットであるベクトルデータのファイル形式に変換する図形フォーマット変換手段７と、図形フォーマット変換手段７で変換された図形データ（ｘｐｓファイル）９を施設・設備を監視する監視画面背景として展開する背景表示手段１１と、背景表示手段１１で展開された監視画面背景上に施設・設備に関連付けられた操作シンボルを配置するシンボル配置手段１２を設けたものである。【選択図】図１
2014170347.tif 000002
【特許請求の範囲】
【請求項１】
施設・設備の設置のために作成された建築・土木工事用ＣＡＤ図面の図形データを描画処理に適した環境非依存の文書フォーマットであるベクトルデータのファイル形式に変換する図形フォーマット変換手段と、該図形フォーマット変換手段で変換された図形データを上記施設・設備を監視する監視画面背景として展開する背景表示手段と、該背景表示手段で展開された監視画面背景上に上記施設・設備に関連付けられた操作シンボルを配置するシンボル配置手段を備えたことを特徴とする広域監視制御装置。
【請求項２】
上記背景表示手段は上記監視画面背景を必要に応じて拡大または縮小することを特徴とする請求項１に記載の広域監視制御装置。
【請求項３】
上記操作シンボルにＣＡＤ図面データが保有する上記施設・設備に関する属性データを関連付けするとともに、上記操作シンボルが選択されたとき当該施設・設備の属性情報を画面表示することを特徴とする請求項１または２に記載の広域監視制御装置。
【請求項４】
上記シンボル配置手段はＣＡＤ図面データが保有する上記施設・設備の位置情報を使用して監視画面背景として表示された地図上に上記操作シンボルを配置することを特徴とする請求項１から３のいずれか１項に記載の広域監視制御装置。
【請求項５】
上記ＣＡＤ図面データが保有する上記施設・設備に関する属性データを自動抽出して上記施設・設備の管理台帳データを自動生成する台帳表示手段を備えたことを特徴とする請求項３に記載の広域監視制御装置。
【発明の詳細な説明】
【技術分野】
【０００１】
この発明は、例えば施設や設備の建築、土木工事などのために作成されたＣＡＤ図面データを監視画面等に利用した広域監視制御装置に関するものである。
【背景技術】
【０００２】
従来の広域監視制御装置は、監視画面の背景図をドローイングツールで作成したビットマップデータなどで画面表示しており、施設・設備に関連付けられた操作シンボル（アイコン）は、手作業により背景図の上に配置して監視画面を作成している。ドローイングツールなどでの手作業による監視画面作成は作成負担が大きい（手間が掛かる）ため、例えば特許文献１ではＣＡＤソフトウエアで作成されたフロア図のベクトルデータを背景図とし、各機器に関連付けられた機器シンボル（アイコン）を貼り付けて監視画面を作成するものが提案されている。（例えば特許文献１）
【先行技術文献】
【特許文献】
【０００３】
【特許文献１】特開平１１−５３０２７号公報
【発明の概要】
【発明が解決しようとする課題】
【０００４】
従来の広域監視制御装置においては、監視画面の背景図をドローイングツールで作成するため、施設や設備の規模により監視画面の枚数が多くなるに伴い大きな作成負担を生じている。これを解決することを目的に特許文献１が提案されているが、ＣＡＤ図面に描画されるオブジェクト数が膨大となるケースにおいては、監視画面への表示性能が劣化するという課題があった。また、特許文献１においても、施設・設備の名称などは別途作成してメモリに登録する必要があり、手間の発生と名称などに誤入力が生じる可能性が懸念されるという課題もあった。
【０００５】
この発明は、以上のような課題を解決するためになされたもので、ＣＡＤ図面データを電子的に活用することで監視画面の背景図や施設・設備の属性データを容易に作成することができ、かつ監視画面の表示性能を確保することができる広域監視制御装置を得ることを目的とする。
【課題を解決するための手段】
【０００６】
この発明に係る広域監視制御装置は、施設・設備の設置のために作成された建築・土木工事用ＣＡＤ図面の図形データを描画処理に適した環境非依存の文書フォーマットであるベクトルデータのファイル形式に変換する図形フォーマット変換手段と、該図形フォーマット変換手段で変換された図形データを上記施設・設備を監視する監視画面背景として展開する背景表示手段と、該背景表示手段で展開された監視画面背景上に上記施設・設備に関連付けられた操作シンボルを配置するシンボル配置手段を備えたことを特徴とするものである。
【発明の効果】
【０００７】
この発明の広域監視制御装置によれば、施設・設備の設置のために作成された建築・土木工事用ＣＡＤ図面の図形データを描画処理に適した環境非依存の文書フォーマットであるベクトルデータのファイル形式に変換する図形フォーマット変換手段と、該図形フォーマット変換手段で変換された図形データを上記施設・設備を監視する監視画面背景として展開する背景表示手段を備えており、図形データを描画処理に適した環境非依存の文書フォーマットであるベクトルデータのファイル形式に変換するため、監視画面の表示性能を確保することが可能な広域監視制御装置を得ることができる効果がある。
【図面の簡単な説明】
【０００８】
【図１】この発明の実施の形態１における広域監視制御装置の概略構成を示すブロック図である。
【図２】この発明の実施の形態１における広域監視制御装置の監視画面表示を説明する説明図である。
【図３】この発明の実施の形態３における広域監視制御装置の概略構成を示すブロック図である。
【図４】この発明の実施の形態３における広域監視制御装置の属性情報管理ＤＢにおける管理テーブルを説明する説明図である。
【発明を実施するための形態】
【０００９】
以下、この発明の実施の形態について説明するが、各図において同一、または相当部分については同一符号を付して説明する。
実施の形態１．
図１はこの発明の実施の形態１における広域監視制御装置の概略構成を示すブロック図、図２はこの発明の実施の形態１における広域監視制御装置の監視画面表示を説明する説明図である。
【００１０】
図１において、ＣＡＤ装置１のＣＡＤ図面作成アプリケーション２で作成された施設・設備の設置のために作成された建築・土木工事用ＣＡＤ図面の電子データである図面データ３を一般的なＣＡＤデータフォーマットであるＤＸＦ（Drawing  Exchange  Format）またはＳＸＦ（Scadec  data  Exchange  Format）形式で広域監視制御装置６に取り込み、広域監視制御装置６のオペレーションシステムにおける描画処理に適した環境非依存の文書フォーマットであるベクトルデータとしてのファイル形式（Windows（登録商標）のＸＰＳ形式）などへ変換する。なお、ＣＡＤ図面データ３のＤＸＦ形式やＳＸＦ形式とは、ＣＡＤソフトウエアで作成した図面データのファイルフォーマットであり、二次元および三次元の図形を、その内容に応じてレイヤ分けしたベクトルデータとして格納する。ＤＸＦ形式はＣＡＤ図面の情報交換におけるデファクトスタンダード的な存在であり、ＳＸＦ形式はＣＡＤツール間でデータをやりとりする際に使用する中間ファイル形式を定義したもので、ＣＡＤツール間でのデータ相互利用を目的とした共通仕様に位置づけられるファイル形式である。以下の説明においてはＳＸＦ形式で説明する。
【００１１】
図面データ３としてＳＸＦ形式による図形データ（ｓｆｃファイル）４と属性データ（ｓａｆファイル）５を広域監視制御装置６に取り込む。図形フォーマット変換手段７は取り込まれた図形データ（ｓｆｃファイル）４を広域監視制御装置６のＷｉｎｄｏｗｓ系オペレーションシステムにおける描画に適したファイル形式であるＸＰＳ形式に自動変換した図形データ（ｘｐｓファイル）９を生成して図形ファイル保存フォルダ８に蓄積保存する。具体的な変換の手段としては、図形フォーマット変換手段７がＣＡＤ図面作成アプリケーション２の印刷機能を呼び出し、Ｍｉｃｒｏｓｏｆｔ  ＸＰＳ  Ｄｏｃｕｍｅｎｔ  Ｗｒｉｔｅｒまたは互換のＸＰＳ生成エンジンを指定したプリント出力を自動実行することで実現する。
【００１２】
監視画面表示手段１０の背景表示手段１１は図形データ（ｘｐｓファイル）９を監視画面の背景として取り込み図２に示す背景図１４を表示する。監視画面表示手段１０のシンボル配置手段１２はシンボルデータ１３から施設・設備の操作シンボル１６を呼び出し、背景図１４上に設けられた表示レイヤ１５に操作シンボル１６を配置表示する。
以上説明したように、ＣＡＤ図面データ３の図形データ（ｓｆｃファイル）４をそのままのファイル形式で監視画面の背景に表示することに比べ、変換された図形データ（ｘｐｓファイル）９を使用して監視画面の背景を表示することで、監視画面背景の描画性能を向上することが可能となる。
なお、上記説明では広域監視制御装置６が通常実施している監視対象の施設や設備から検出した信号で当該施設や設備の状態を監視したり、当該施設や設備に対して制御を実施したりする部分については、本件発明に直接関係が無いため説明を省略している。
【００１３】
実施の形態２．
また、図形データ（ｘｐｓファイル）９はベクタ形式（ベクトルデータ）にて生成することにより、図形データ（ｘｐｓファイル）９を背景として表示する監視画面において、画面表示の拡大または縮小操作を行った場合においても背景表示のドットが荒くなるなどの画像劣化を生じることが無く、等角サイズでの表示と同等の見栄えを維持することが可能となる。
【００１４】
実施の形態３．
図３はこの発明の実施の形態３における広域監視制御装置の概略構成を示すブロック図、図４はこの発明の実施の形態３における広域監視制御装置の属性情報管理ＤＢにおける管理テーブルを説明する説明図である。上記実施の形態１では監視画面の背景としてＣＡＤ図面データ３の図形データ（ｓｆｃファイル）４を利用する場合について説明したが、実施の形態３では属性データ（ｓａｆファイル）５を操作シンボル（アイコン）に関連付ける場合について説明する。図３において、図面データ３に含まれる属性データ（ｓａｆファイル）５を広域監視制御装置６に入力する。広域監視制御装置６では属性データ（ｓａｆファイル）５を属性データ取得手段１７にて取り込み、施設や設備の図形オブジェクト割り当てられた例えば名称や設置年度および型番などの属性を属性データ（ｓａｆファイル）５から抽出して属性情報管理ＤＢ１８に格納する。属性情報管理ＤＢ１８はＣＡＤ図面作成アプリケーション２が割り当てた当該図面中で一意となるオブジェクト番号と、ＣＡＤ図面作成時に当該施設・設備への入力情報として付加される施設や設備の名称、施設や設備が設置された年度、施設や設備の型番および施工業者などの当該施設や設備の管理情報とその管理情報項目名を格納することを目的とした管理テーブルであり、図４に管理テーブルの概略イメージを示す。
【００１５】
属性データ取得手段１７は上記属性データの抽出および属性情報管理ＤＢ１８への格納と同時にシンボル−属性管理テーブル１９を生成する。具体的にはＣＡＤ図面作成アプリケーション２が割り当てた当該図面中で一意となるオブジェクト番号と、ＣＡＤ図面作成時に設計対象の施設や設備の測量座標位置に記入された点や複数の線や面などで構成されたひとつの図形オブジェクトに対して、広域監視制御装置６の内部で一意に特定する属性データ取得手段１７で割り当てられたＩＤ番号とを登録する。このようにシンボル−属性管理テーブル１９は、施設や設備の測量座標位置に記入された点や複数の線や面で構成されたひとつの図形など、ＣＡＤ図面上で製図されたオブジェクトにＣＡＤ図面作成アプリケーション２が割り当てた当該図面中で一意となるオブジェクト番号と、当該ＣＡＤ図面のファイル名および当該オブジェクトが示す施設や設備の属性情報を紐付ける属性情報管理ＤＢ１８中のＩＤ番号とを関連付けるマッピングテーブルである。
【００１６】
広域監視制御装置６は施設や設備の種類に応じた操作シンボルを選択表示するため、予め生成された施設・設備シンボル定義テーブル２０を保有している。この施設・設備シンボル定義テーブル２０は広域監視制御装置６の内部で一意に特定されるＩＤ番号と、操作シンボルのビットマップファイル名のパスと、操作シンボル配置の座標が入力されたテーブルである。操作シンボルとは背景表示手段１１が表示した背景画面上に施設や設備の設置されている位置を示すためのビットマップ形式で予め作成された図形である。施設や設備の種別を視認できるように施設や設備の各々を表す記号や簡易な絵により図形を作成する。施設・設備シンボル定義テーブル２０は広域監視制御装置６の内部で一意に特定されるＩＤ番号と、操作シンボルのビットマップファイル名のパスを関連付ける目的のテーブルであり、シンボル配置手段１２はシンボル−属性管理テーブル１９から広域監視制御装置６の内部で一意に特定されるＩＤ番号を取得し、施設・設備シンボル定義テーブル２０を参照することで、広域監視制御装置６の内部で一意に特定されたＩＤ番号に適合する操作シンボルのビットマップファイル名のパスを取得し、シンボルデータ１３から該当する操作シンボルを選び背景表示手段１１が表示した背景画面上に表示する。監視画面に表示する位置はシンボル−属性管理テーブル１９から取得する操作シンボル配置の座標により決定する。
【００１７】
また、シンボル配置手段１２は、シンボル−属性管理テーブル１９から属性情報管理ＤＢ１８中の属性情報に付されたＩＤ番号を取得し、属性情報管理ＤＢ１８から当該操作シンボルに関連する属性情報を検索することで、監視画面から当該操作シンボルが選択されたときに、名称や設置年度および型番等の属性情報を表示可能とする。
【００１８】
実施の形態４．
上記実施の形態１および３では背景表示手段１１が表示した背景画面上に操作シンボルを配置する場合について説明したが、広域監視制御装置６にＧＩＳ（地図表示）機能を具備して、背景表示手段１１で表示する背景画面として地図を表示して、表示された地図上に施設や設備の操作シンボルを配置する場合にも、実施の形態３と同様に、シンボル−属性管理テーブル１９が保有する操作シンボル配置の座標を活用することにより、操作シンボルを地図画面上に自動配置することが可能である。
【００１９】
実施の形態５．
図３に示す台帳表示手段２１を使用して、属性情報管理ＤＢ１８に登録された施設・設備の名称や設置年度および型番等の属性データを、例えばＭｉｃｒｏｓｏｆｔ  Ｅｘｃｅlなどの表生成アプリケーションに転記して、当該施設や設備の管理台帳を自動生成して表示する。このように管理台帳を自動生成することで、従来、施設や設備の修繕などにより施設や設備の属性データが変更される都度、管理台帳の情報を手作業で更新している作業負担を、ＣＡＤ図面データ３の属性データ（ｓａｆファイル）５を取り込んだ自動更新により軽減することが可能である。
【００２０】
なお、この発明は、その発明の範囲内において、各実施の形態を自由に組み合わせたり、各実施の形態を適宜、変形、省略することが可能である。
【符号の説明】
【００２１】
１  ＣＡＤ装置、２  ＣＡＤ図面作成アプリケーション、３  図面データ、４  図形データ（ｓｆｃファイル）、５  属性データ（ｓａｆファイル）、６  広域監視制御装置、７  図形フォーマット変換手段、８  図形ファイル保存フォルダ、９  図形データ（ｘｐｓファイル）、１０  監視画面表示手段、１１  背景表示手段、１２  シンボル配置手段、１３  シンボルデータ、１７  属性データ取得手段、１８  属性情報管理ＤＢ、１９  シンボル−属性管理テーブル、２０  施設・設備シンボル定義テーブル、２１  台帳表示手段。
【図１】
2014170347.tif 000003
【図２】
2014170347.tif 000004
【図３】
2014170347.tif 000005
【図４】
2014170347.tif 000006